(57)【要約】【課題】拭き残しを生じさせにくく、清掃シートを装着する際に痛くなく、美観上優れた清掃用具を提供すること。【解決手段】清掃シート１０を装着するためのシート装着具９を有して構成される清掃用具としての電気掃除機１において、前記シート装着具９の左右両側面１６に、それぞれ前記清掃シート１０の左右端部を保持するためのスリット１５を、前記シート装着具９の底面とほぼ平行に形成したことで、前記清掃シート１０を前記シート装着具９の底面に当てて前後に巻き付け、前記清掃シート１０の左右の余った部分を前記スリット１５に押し込むことで、前記清掃シート１０が前記シート装着部９の左右からはみ出すことなく装着されるので、前記清掃シート１０によって拭き取ることができる領域を分かりやすくして拭き残しが生ずる虞を減少させることができると共に、美観上好ましくすることができる。【選択図】図５
2009165607.tif 000002
【特許請求の範囲】
【請求項１】
清掃シートを装着するためのシート装着具を有して構成される清掃用具において、
前記シート装着具の側部に、前記清掃シートの端部を保持するためのスリットを、前記シート装着具の底面とほぼ平行に形成したことを特徴とする清掃用具。
【請求項２】
前記シート装着具がゴム、合成ゴム又はエラストマー等から成るパッドを有して構成されていると共に、このパッドに前記スリットが形成されていることを特徴とする請求項１記載の清掃用具。
【請求項３】
前記スリットの前端が前記パッドの前端よりも後方で且つ前記スリットの後端が前記パッドの後端よりも前方となるように前記スリットを形成したことを特徴とする請求項２記載の清掃用具。
【請求項４】
前記スリットの開口縁が丸められていることを特徴とする請求項２記載の清掃用具。
【発明の詳細な説明】
【技術分野】
【０００１】
本発明は、清掃シートを装着して床等を拭き掃除する清掃用具に関するものである。
【背景技術】
【０００２】
従来、この種の清掃用具としては、シート装着具の表面にスリットを形成し、このスリットに清掃シートを押し込むことで、前記清掃シート装着具に前記清掃シートが装着されるものが知られている（例えば、特許文献１参照。）。そして、前記スリットは、縁部に前記清掃シートが引っ掛かりやすいように、縁部が尖った形状となっている。
【特許文献１】実用新案登録第２５０７３００号公報
【発明の開示】
【発明が解決しようとする課題】
【０００３】
しかしながら、このような清掃用具においては、前記清掃シートの幅が、一般的には、前記シート装着具の幅よりも大きくなっているため、前記清掃シートを前記シート装着具に装着した状態で、このシート装着具の左右から前記清掃シートの左右端部がはみ出す。そして、このシート装着具の左右からはみ出した前記清掃シートの左右端部は、前記シート装着具によって床等に押し付けられる訳ではないので、床等を拭き掃除する際に拭き掃除に関与しない。そして、前記清掃シートの拭き掃除に関与する部分と関与しない部分との境界が分かりにくいため、拭き残しが生ずる虞もあった。また、前述したように、前記スリットの縁部が尖っているため、前記清掃シートを前記スリットに押し込む際に、使用者によっては、指先に痛さを感じる場合があった。更に、前記シート装着具の左右から前記清掃シートの左右端部がはみ出すのは、美観上好ましくなかった。
【０００４】
本発明は以上の問題点を解決し、拭き残しを生じさせにくく、清掃シートを装着する際に痛くなく、美観上優れた清掃用具を提供することを目的とする。
【課題を解決するための手段】
【０００５】
本発明の請求項１に記載の清掃用具は、清掃シートを装着するためのシート装着具を有して構成される清掃用具において、前記シート装着具の側部に、前記清掃シートの端部を保持するためのスリットを、前記シート装着具の底面とほぼ平行に形成したものである。
【０００６】
また、本発明の請求項２に記載の清掃用具は、請求項１において、前記シート装着具がゴム、合成ゴム又はエラストマー等から成るパッドを有して構成されていると共に、このパッドに前記スリットを形成したものである。
【０００７】
また、本発明の請求項３に記載の清掃用具は、請求項２において、前記スリットの前端が前記パッドの前端よりも後方で且つ前記スリットの後端が前記パッドの後端よりも前方となるように前記スリットを形成したものである。
【０００８】
更に、本発明の請求項４に記載の清掃用具は、請求項２において、前記スリットの開口縁が丸められているものである。
【発明の効果】
【０００９】
本発明の請求項１に記載の清掃用具は、以上のように構成することにより、前記シート装着具の底面に前記清掃シートを当てた状態でこれを前後縁に巻き付け、この清掃シートの左右の余った部分を前記シート装着部の側部に形成されたスリットに押し込むことで、前記清掃シートがシート装着部に装着される。そして、前記シート装着部の左右から余った前記清掃シートがはみ出さないので、この清掃シートによって拭き取ることができる領域を分かりやすくすることができる。これによって、拭き残しが生ずる虞を減少させることができる。これと同時に、前記清掃シートの余分な部分が前記シート装着具からはみ出さないので、美観上好ましくすることができる。
【００１０】
また、前記シート装着具がゴム、合成ゴム又はエラストマー等から成るパッドを有すると共に、このパッドに前記スリットを形成したことで、前記パッドの材質に由来する弾性及び摩擦によって、前記清掃シートを前記スリットで保持することができる。従って、前記スリットの縁を尖らせることなく、このスリットで前記清掃シートを保持できるので、使用者が前記清掃シートの端部を前記スリットに押し込む際に、指先に痛みを感じさせにくくすることができる。
【００１１】
また、前記スリットの前端が前記パッドの前端よりも後方で且つ前記スリットの後端が前記パッドの後端よりも前方となるように前記スリットを形成したことで、前記スリットの開きすぎを防止し、不用意に前記清掃シートの端部が前記スリットから外れることを防止することができる。
【００１２】
更に、前記スリットの開口縁を丸めたことで、使用者が前記清掃シートの端部を前記スリットに押し込む際に、より確実に、指先に痛みを感じさせにくくすることができる。
【発明を実施するための最良の形態】
【００１３】
以下、本発明の第一の実施形態について、図１乃至図６に基づいて説明する。１は本発明の清掃用具の一例としての電気掃除機である。この電気掃除機１は、掃除機本体２と、この掃除機本体２に対して着脱自在な吸引ノズル３とを有して構成されている。更に、前記掃除機本体２は、内部に図示しない電動送風機等が収容された機構部４と、集塵部５と、ハンドル部６とを有して構成されている。なお、前記掃除機本体２については、よく知られたものであるので、その詳細な説明を省略する。
【００１４】
前記吸引ノズル３は、吸込口７を有すると共に、この吸込口７よりも後方に受部８が形成されている。そして、この受部８に対して、シート装着部９が着脱自在に取り付けられていると共に、このシート装着部９に対して清掃シート１０が装着されるように構成されている。
【００１５】
前記シート装着部９について詳述する。このシート装着部９は、合成樹脂等で形成された取付部１１と、この取付部１１に固定されたパッド１２とを有して構成されている。そして、前記取付部１１は、爪部１３が形成された一対の取付腕部１４を有して構成されており、これらの取付腕部１４が前記受部８と係合するように構成されている。一方、前記パッド１２は、エラストマーによって板状に形成されている。また、前記パッド１２の左右両端部には、このパッド１２の底面とほぼ平行に、スリット１５がそれぞれ形成されている。なお、これらのスリット１５は、その前端が前記パッド１２の前端よりも後方に位置すると共に、その後端が前記パッド１２の後端よりも前方に位置する。従って、前記パッド１２の側面１６における上部１６Ａと下部１６Ｂは、前記側面１６の前部１６Ｃと後部１６Ｄにおいて繋がっている。即ち、前記パッド１２の側面１６は、前記スリット１５を囲むように構成されている。また、前記スリット１５の開口縁１７は、図２（ｄ）に示すように、丸められている。なお、前記パッド１２は、中空に構成されている。
【００１６】
前記清掃シート１０の前記シート装着部９への取付手順について説明する。まず、図４に示すように、前記清掃シート１０を広げて平らな面に置き、この清掃シート１０のほぼ中央に、前記シート装着部９を置く。この際、前記清掃シート１０の四辺が、前記パッド１２の対応する四辺とほぼ平行になるように、前記シート装着部９を前記清掃シート１０上に置く。そして、図５に示すように、前記清掃シート１０における前記パッド１２の前後にはみ出した部分を、前記シート装着部９に巻き付ける。更に、図６に示すように、前記清掃シート１０における前記パッド１２の左右にはみ出した部分を折り曲げ、前記スリット１５に押し込む。この際、前述したように、前記パッド１２がエラストマーによって形成されているので、この素材の持つゴム弾性によって、前記スリット１５において前記清掃シート１０が挟まれる。なお、前述したように、前記パッド１２の側面１６における上部１６Ａと下部１６Ｂが、前記側面１６の前部１６Ｃと後部１６Ｄにおいて繋がっていることで、前記スリット１５の開き量が前記側面１６の前部１６Ｃと後部１６Ｄによって制限される。従って、前記スリット１５の開きすぎを防止し、不用意に前記清掃シート１０の右又は左端部が前記スリット１５から外れることを防止することができる。また、エラストマーという素材の持つ摩擦力によって、前記スリット１５の開口縁１７を尖らせることなく、前記清掃シート１０が抜け止めされる。更に、前述したように、前記スリット１５の開口縁１７が丸められていることによって、前記清掃シート１０を前記スリット１５に押し込む際に、前記開口縁１７に使用者の指が当たっても、使用者が指先に痛みを感じにくいようにすることができる。そして、前記清掃シート１０の余分な部分が前記シート装着具９の左右からはみ出さないので、美観上も好ましくすることができる。
【００１７】
次に、本実施形態の作用について説明する。まず、前述した手順で前記清掃シート１０が装着された前記シート装着部９の取付腕部１４を、前記吸引ノズル３の受部８と係合させることで、前記シート装着部９を前記吸引ノズル３に取り付ける。この状態において、前記シート装着部９は、前記吸引ノズル３の吸込口７よりも後方に位置すると共に、前記シート装着部９に装着された前記清掃シート１０は、被清掃面となる床等に接触可能となる。そして、このように前記シート装着部９が取り付けられた前記吸引ノズル３を、前記掃除機本体２に取り付け、この掃除機本体２のハンドル部６を把持して前記電気掃除機１を床等の上で前後に動かすことで、この床上の塵埃が前記清掃シート１０によって拭き取られる。なお、この際、図示しない電動送風機を作動させることで、前記吸込口７から床上の塵埃を吸引しながら、床上の塵埃を前記清掃シート１０によって拭き取るように複合的な清掃を行うことができる。そして、前述したように、前記清掃シート１０における前記パッド１２の左右にはみ出した部分が前記スリット１５に押し込まれていることで、前記シート装着部９の左右から、拭き掃除に関与しない余った前記清掃シート１０がはみ出していないので、この清掃シート１０によって拭き取ることができる領域を分かりやすくすることができる。これによって、前記清掃シート１０による拭き残しが生ずる虞を減少させることができる。
【００１８】
以上のように、本発明の清掃用具は、清掃シート１０を装着するためのシート装着具９を有して構成される清掃用具としての電気掃除機１において、前記シート装着具９の左右両側面１６に、それぞれ前記清掃シート１０の左右端部を保持するためのスリット１５を、前記シート装着具９の底面とほぼ平行に形成したことで、前記清掃シート１０を前記シート装着具９の底面に当てて前後に巻き付け、前記清掃シート１０の左右の余った部分を前記スリット１５に押し込むことで、前記清掃シート１０が前記シート装着部９の左右からはみ出すことなく装着されるので、前記清掃シート１０によって拭き取ることができる領域を分かりやすくして拭き残しが生ずる虞を減少させることができると共に、美観上好ましくすることができるものである。
【００１９】
また、前記シート装着具９がエラストマーから成るパッド１２を有し、このパッド１２に前記スリット１５を形成したことで、前記パッド１２の材質に由来する弾性及び摩擦によって、前記清掃シート１０を前記スリット１５で保持することができるので、前記スリット１５の開口縁１７を尖らせることなく、前記スリット１５で前記清掃シート１０を保持することができるものである。そして、これによって、使用者が前記清掃シート１０の端部を前記スリット１５に押し込む際に、指先に痛みを感じさせにくくすることができるものである。
【００２０】
また、前記スリット１５の前端が前記パッド１２の前端よりも後方で且つ前記スリット１５の後端が前記パッド１２の後端よりも前方となるように、前記スリット１５を形成したことで、前記パッド１２の側面１６の前部及び後部によって前記スリット１５の開き量が制限され、不用意に前記清掃シート１０の端部が前記スリット１５から外れることを防止することができるものである。
【００２１】
更に、前記スリット１５の開口縁１７を丸めたことで、使用者が前記清掃シート１０の端部を前記スリット１５に押し込む際に、より確実に、指先に痛みを感じさせにくくすることができるものである。
【００２２】
次に、本発明の第二の実施形態について、図７及び図８に基づいて説明する。１０１は本発明の清掃用具としての拭き掃除具である。この拭き掃除具１０１は、清掃シート１０が装着可能なシート装着部１０２と、このシート装着部１０２に対して関節部１０３を介して接続されるハンドル部１０４とを有して構成されている。前記シート装着部１０２は、合成樹脂等で形成された基部１０５と、この基部１０５に固定されたパッド１０６とを有して構成されている。なお、前記基部の中央には、前記関節部１０３の一部が取り付けられている。一方、前記パッド１０６は、エラストマーによって板状に形成されている。また、前記パッド１０６の左右両端部には、このパッド１０６の底面とほぼ平行に、スリット１０７がそれぞれ形成されている。なお、これらのスリット１０７は、その前端が前記パッド１０６の前端よりも後方に位置すると共に、その後端が前記パッド１０６の後端よりも前方に位置する。従って、前記パッド１０６の側面１０８における上部１０８Ａと下部１０８Ｂは、前記側面１０８の前部１０８Ｃと後部１０８Ｄにおいて繋がっている。即ち、前記パッド１０６の側面１０８は、前記スリット１０７を囲むように構成されている。また、前記スリット１０７の開口縁は丸められている。
【００２３】
前記清掃シート１０の前記シート装着部１０２への取付手順について説明する。まず、前記清掃シート１０を広げて平らな面に置き、この清掃シート１０のほぼ中央に、前記シート装着部１０２を置く。この際、前記清掃シート１０の四辺が、前記パッド１０６の対応する四辺とほぼ平行になるように、前記シート装着部１０２を前記清掃シート１０上に置く。そして、前記清掃シート１０における前記パッド１０６の前後にはみ出した部分を、前記シート装着部１０２に巻き付ける。更に、前記清掃シート１０における前記パッド１０６の左右にはみ出した部分を折り曲げ、前記スリット１０７に押し込む。この際、前述したように、前記パッド１０６がエラストマーによって形成されているので、この素材の持つゴム弾性によって、前記スリット１０７において前記清掃シート１０が挟まれる。なお、前述したように、前記パッド１０６の側面１０８における上部１０８Ａと下部１０８Ｂが、前記側面１０８の前部１０８Ｃと後部１０８Ｄにおいて繋がっていることで、前記スリット１０７の開き量が前記側面１０８の前部１０８Ｃと後部１０８Ｄによって制限される。従って、前記スリット１０７の開きすぎを防止し、不用意に前記清掃シート１０の右又は左端部が前記スリット１０７から外れることを防止することができる。また、エラストマーという素材の持つ摩擦力によって、前記スリット１０７の開口縁を尖らせることなく、前記清掃シート１０が抜け止めされる。更に、前述したように、前記スリット１０７の開口縁が丸められていることによって、前記清掃シート１０を前記スリット１０７に押し込む際に、前記開口縁に使用者の指が当たっても、使用者が指先に痛みを感じにくいようにすることができる。そして、前記清掃シート１０の余分な部分が前記シート装着具１０２の左右からはみ出さないので、美観上も好ましくすることができる。
【００２４】
次に、本実施形態の作用について説明する。使用者は、第一の実施形態の場合と同様の手順で前記シート装着部１０２に前記清掃シート１０が装着された状態の前記拭き掃除具１０１のハンドル部１０４を把持し、前記清掃シート１０が被清掃面となる床等の上で前後に動かすことで、この床上の塵埃が前記清掃シート１０によって拭き取られる。そして、前記清掃シート１０における前記パッド１０６の左右にはみ出した部分が前記スリット１０７に押し込まれていることで、前記シート装着部１０２の左右から、拭き掃除に関与しない余った前記清掃シート１０がはみ出していないので、この清掃シート１０によって拭き取ることができる領域を分かりやすくすることができる。これによって、前記清掃シート１０による拭き残しが生ずる虞を減少させることができる。
【００２５】
以上のように、本発明の清掃用具は、清掃シート１０を装着するためのシート装着具１０２を有して構成される清掃用具としての拭き掃除具１０１において、前記シート装着具１０２の左右両側面１０８に、それぞれ前記清掃シート１０の左右端部を保持するためのスリット１０７を、前記シート装着具１０２の底面とほぼ平行に形成したことで、前記清掃シート１０を前記シート装着具１０２の底面に当てて前後に巻き付け、前記清掃シート１０の左右の余った部分を前記スリット１０７に押し込むことで、前記清掃シート１０が前記シート装着部１０２の左右からはみ出すことなく装着されるので、前記清掃シート１０によって拭き取ることができる領域を分かりやすくして拭き残しが生ずる虞を減少させることができると共に、美観上好ましくすることができるものである。
【００２６】
また、前記シート装着具１０２がエラストマーから成るパッド１０６を有し、このパッド１０６に前記スリット１０７を形成したことで、前記パッド１０６の材質に由来する弾性及び摩擦によって、前記清掃シート１０を前記スリット１０７で保持することができるので、前記スリット１０７の開口縁を尖らせることなく、前記スリット１０７で前記清掃シート１０を保持することができるものである。そして、これによって、使用者が前記清掃シート１０の端部を前記スリット１０７に押し込む際に、指先に痛みを感じさせにくくすることができるものである。
【００２７】
また、前記スリット１０７の前端が前記パッド１０６の前端よりも後方で且つ前記スリット１０７の後端が前記パッド１０６の後端よりも前方となるように、前記スリット１０７を形成したことで、前記パッド１０６の側面１０８の前部及び後部によって前記スリット１０７の開き量が制限され、不用意に前記清掃シート１０の端部が前記スリット１０７から外れることを防止することができるものである。
【００２８】
更に、前記スリット１０７の開口縁を丸めたことで、使用者が前記清掃シート１０の端部を前記スリット１０７に押し込む際に、より確実に、指先に痛みを感じさせにくくすることができるものである。
【００２９】
なお、本発明は以上の実施形態に限定されるものではなく、発明の要旨の範囲内で種々の変形実施が可能である。例えば、上記各実施形態では、パッドの材質をエラストマーとしたが、合成ゴム又は天然ゴムによって形成しても良い。また、上記各実施形態では、前記スリットの形状が直線状であるが、縁部が尖らなければ、他の形状に形成しても良い。
【図面の簡単な説明】
【００３０】
【図１】本発明の第一の実施形態を示す清掃用具としての電気掃除機の側面図である。
【図２】同、シート装着部の外観図であり、（ａ）は平面図、（ｂ）は正面図、（ｃ）は側面図、（ｄ）はＡ−Ａ拡大断面図である。
【図３】同、清掃シートが取り付けられた状態のシート装着部の外観図であり、（ａ）は平面図、（ｂ）は正面図、（ｃ）は側面図である。
【図４】同、清掃シートのシート装着部への装着手順を示す説明図である。
【図５】同、清掃シートのシート装着部への装着手順を示す説明図である。
【図６】同、清掃シートのシート装着部への装着手順を示す説明図である。
【図７】本発明の第二の実施形態を示す清掃用具としての拭き取り掃除具の側面図である。
【図８】同、清掃シートが取り付けられた状態の側面図である。
【符号の説明】
【００３１】
１  電気掃除機（清掃用具）
９，１０２  シート装着部
１０  清掃シート
１２，１０６  パッド
１５，１０７  スリット
１６，１０８  側面
１７  開口縁
１０１  拭き掃除具（清掃用具）
【図１】
2009165607.tif 000003
【図２】
2009165607.tif 000004
【図３】
2009165607.tif 000005
【図４】
2009165607.tif 000006
【図５】
2009165607.tif 000007
【図６】
2009165607.tif 000008
【図７】
2009165607.tif 000009
【図８】
2009165607.tif 000010